(57)【特許請求の範囲】
【請求項１】
互いに嵌合可能な一対のハウジングのうちいずれか一方には、ロックアームが設けられ、
そのロックアームは、前記両ハウジングの嵌合方向に沿って後方に突出する片持ち状をなし、後端側が前記両ハウジングの嵌合方向と直交する方向に撓み可能とされ、前記両ハウジングの正規嵌合時には他方のハウジングに配される被係止部と係止して前記両ハウジングをロック状態に保持する係止部を有し、その係止部よりも後方に配される解除操作部によって前記係止部を前記撓み方向に変位させることにより前記ロック状態を解除可能とされ、
前記ロックアームを幅方向に挟む両側には、一対の保護壁が前後方向に沿って設けられ、その両保護壁の幅方向外側には、一対の外壁が設けられるコネクタであって、
前記解除操作部の後端は前記両保護壁の後端よりも後方に突出する位置に設定され、
前記解除操作部と前記撓み方向に対面しつつ前記解除操作部を覆う位置には、前記両外壁間を架設することで覆い壁が設けられ、
前記両保護壁の後方に配され、前記一方のハウジングの外周面のうち前記ロックアームの配される面と前記両外壁の内側面と前記覆い壁の内面とから構成される解除操作のための操作空間は、後方へ開口して形成されることを特徴とするコネクタ。
【請求項２】
前記解除操作部の後端は、前記操作空間の後端開口を構成する開口縁部より前方に引っ込んだ位置とされることを特徴とする請求項１記載のコネクタ。
【請求項３】
前記外壁は、前記一方のハウジングの外側面寄りに配されて前後方向に沿って設けられ、前記外壁のうち前記覆い壁よりも前方部分は案内突部とされるとともに、前記他方のハウジングには、前記両ハウジングの嵌合に伴って前記案内突部を受け入れて前記両ハウジングの嵌合案内を行う案内受け部が設けられることを特徴とする請求項１または請求項２記載のコネクタ。
【請求項４】
前記開口縁部の内側には、後方に向けて拡開する勾配を有する誘い込み面が形成されることを特徴とする請求項１ないし請求項３のいずれかに記載のコネクタ。
【請求項５】
前記他方のハウジングは、前記両ハウジングが正規嵌合状態にあるときには前記一方のハウジングのうち前記覆い壁より前方部分を内部に嵌合可能とするフード部を備え、前記フード部の先端と前記覆い壁との間に、前記操作空間を外部に露出させる隙間が形成されるものにおいて、前記フード部もしくは前記覆い壁のうちいずれか一方には、前記隙間を塞いで異物の侵入を規制する規制部が突出して形成されることを特徴とする請求項１ないし請求項４のいずれかに記載のコネクタ。
【発明の詳細な説明】
【技術分野】
【０００１】
本発明は、コネクタに関する。
【背景技術】
【０００２】
従来、ロックアームを備えたコネクタの一般的構造としては、下記特許文献１に記載のものがある。このものは、後方に突出する片持ち状をなし、撓み可能なロックアームを有し、ロックアームの後端には、解除操作を行うための操作部が設けられている。操作部と幅方向に隣り合う位置には、外部の衝撃から保護するための一対の側壁が上方に向けて立ち上げられ、操作部の上方におけるやや後方位置において両側壁の上端同士を連結することにより保護壁が形成されている。
【特許文献１】特開２００１−２５７０３４公報
【発明の開示】
【発明が解決しようとする課題】
【０００３】
しかしながら、このものは、コネクタの設置状況によっては上方からの解除操作がしにくいような場合が考えられ、そのような場合には後方から保護壁の内側空間に指を入れて解除操作を行うことになる。そこで、操作部に隣り合う側壁を利用して保護壁を設けたのでは、後方から指を入れる空間を十分に確保することができず、後方からの解除操作が困難になるという問題がある。また、このものは、保護壁が操作部の上方におけるやや後方位置に設けられているため、平面的な接触に対しては有効であるものの、局部的な接触に対しては不利となるため、外力が加わる等してロック状態が誤って解除されてしまうおそれがある。本発明は上記のような事情に基づいて完成されたものであって、局部的な接触による誤操作を規制しつつ後方からの解除操作を容易にすることを目的とする。
【課題を解決するための手段】
【０００４】
上記の目的を達成するための手段として、請求項１の発明は、互いに嵌合可能な一対のハウジングのうちいずれか一方には、ロックアームが設けられ、そのロックアームは、前記両ハウジングの嵌合方向に沿って後方に突出する片持ち状をなし、後端側が前記両ハウジングの嵌合方向と直交する方向に撓み可能とされ、前記両ハウジングの正規嵌合時には他方のハウジングに配される被係止部と係止して前記両ハウジングをロック状態に保持する係止部を有し、その係止部よりも後方に配される解除操作部によって前記係止部を前記撓み方向に変位させることにより前記ロック状態を解除可能とされ、前記ロックアームを幅方向に挟む両側には、一対の保護壁が前後方向に沿って設けられ、その両保護壁の幅方向外側には、一対の外壁が設けられるコネクタであって、前記解除操作部の後端は前記両保護壁の後端よりも後方に突出する位置に設定され、前記解除操作部と前記撓み方向に対面しつつ前記解除操作部を覆う位置には、前記両外壁間を架設することで覆い壁が設けられ、前記両保護壁の後方に配され、前記一方のハウジングの外周面のうち前記ロックアームの配される面と前記両外壁の内側面と前記覆い壁の内面とから構成される解除操作のための操作空間は、後方へ開口して形成される構成としたところに特徴を有する。
【０００５】
請求項２の発明は、請求項１に記載のものにおいて、前記解除操作部の後端は、前記操作空間の後端開口を構成する開口縁部より前方に引っ込んだ位置とされるところに特徴を有する。
【０００６】
請求項３の発明は、請求項１または請求項２に記載のものにおいて、前記外壁は、前記一方のハウジングの外側面寄りに配されて前後方向に沿って設けられ、前記外壁のうち前記覆い壁よりも前方部分は案内突部とされるとともに、前記他方のハウジングには、前記両ハウジングの嵌合に伴って前記案内突部を受け入れて前記両ハウジングの嵌合案内を行う案内受け部が設けられるところに特徴を有する。
【０００７】
請求項４の発明は、請求項１ないし請求項３のいずれかに記載のものにおいて、前記開口縁部の内側には、後方に向けて拡開する勾配を有する誘い込み面が形成されるところに特徴を有する。
【０００８】
請求項５の発明は、請求項１ないし請求項４のいずれかに記載のものにおいて、前記他方のハウジングは、前記両ハウジングが正規嵌合状態にあるときには前記一方のハウジングのうち前記覆い壁より前方部分を内部に嵌合可能とするフード部を備え、前記フード部の先端と前記覆い壁との間に、前記操作空間を外部に露出させる隙間が形成されるものにおいて、前記フード部もしくは前記覆い壁のうちいずれか一方には、前記隙間を塞いで異物の侵入を規制する規制部が突出して形成されるところに特徴を有する。
【発明の効果】
【０００９】
＜請求項１の発明＞
請求項１の発明によると、局部的な接触によりロック状態の誤操作が行われるのを回避するために解除操作部を覆うようにして覆い壁を設けると、後方からの解除操作が困難になることが考えられるものの、保護壁の外側に配される両外壁間を架設して覆い壁を設けるようにしたから、操作空間の後端開口を広くとることが可能となり、局部的な接触による誤操作を規制しつつも後方からの解除操作を容易に行うことが可能である。
【００１０】
＜請求項２の発明＞
請求項２の発明によると、解除操作部の後端位置が、保護壁の後端よりも後方でかつ操作空間の後端開口の開口縁部よりも前方とされるから、指を操作空間に入れる際に保護壁によって邪魔されることなく、より解除操作がしやすくなる。
【００１１】
＜請求項３の発明＞
請求項３の発明によると、外壁が一方のハウジングの外側面寄りに配されるとともに外壁のうち覆い壁より前方部分が案内突部とされるから、操作空間を幅方向に広くとることができるとともに両ハウジングの嵌合時のこじり防止を有効に行うことが可能になり、さらには外壁を利用して案内突部を設けることでスペースの有効利用を図ることが可能になる。
【００１２】
＜請求項４の発明＞
請求項４の発明によると、後方に向けて拡開する勾配を有する誘い込み面が形成されるから、操作空間の後端開口が広くなって指を操作空間に入れやすくすることができ、より解除操作がしやすくなる。
【００１３】
＜請求項５の発明＞
請求項５の発明によると、フード部の先端と覆い壁との間に形成される隙間を塞いで異物の侵入を規制する規制部が形成されるから、この隙間から操作空間内に異物が侵入して解除操作が行われることが規制される。
【発明を実施するための最良の形態】
【００１４】
＜実施形態１＞
本発明の実施形態１を図１ないし図１０によって説明する。本実施形態におけるコネクタ１は、図１に示すように、互いに嵌合可能な雄ハウジング（本発明における他方のハウジングに相当する。）１０と雌ハウジング（本発明における一方のハウジングに相当する。）２０とを備えている。尚、以下の説明において、前後方向とは図１における両ハウジング１０，２０の嵌合方向を基準として嵌合面側を前方とし、幅方向とは図４における左右方向を基準とする。また、図４にはキャビティ３２を図示しているものの、図１，図２および図５には図面の簡単化のためにキャビティ３２および雌端子金具を省略してある。
【００１５】
雄ハウジング１０は合成樹脂製で、前方に開口するフード部１１を有している。フード部１１の開口縁部１１Ａにおける上部内周面には、被係止部１２が内方に突出して形成されている。被係止部１２は、フード部１１の幅方向略中央であって、両ハウジング１０，２０の嵌合時において後述する係止部２３と対応する位置に配されている。被係止部１２の前面は、フード部１１の前端面から後方に向けて緩やかな勾配をなすテーパ状の傾斜面１２Ａとされ、その傾斜面１２Ａの後端から後方に向けて水平な摺接面１２Ｂが形成され、その摺接面１２Ｂの後端からフード部１１の内周面に向けてオーバーハング状に切り立った勾配をなす被係止面１２Ｃが形成されている。
【００１６】
雌ハウジング２０は合成樹脂製で、略方形のブロック状をなす本体部２１を有している。本体部２１の内部には、図示３個のキャビティ３２が前後方向に沿って貫通形成されている。キャビティ３２内には、図示しない雌端子金具が後方から挿入可能とされている。雌端子金具は、両ハウジング１０，２０の正規嵌合時には、雄ハウジング１０に配される図示しない雄端子金具と導通可能に接続されるようになっている。尚、本体部２１の後端下縁部には、下方に突出する引掛け部２１Ａが形成されており、両ハウジング１０，２０の解除操作時に指を宛うことで操作がしやすくなるようにされている。
【００１７】
本体部２１の上面における幅方向略中央には、ロックアーム２２が前後方向に沿って配されている。ロックアーム２２は、本体部２１の上面前端から上方に突出して形成される基端部２２Ａと、その基端部２２Ａから後方に突出する片持ち状に形成されて、その後端側が撓み可能な一対のアーム部２２Ｂ，２２Ｂとを備えている。両アーム部２２Ｂ，２２Ｂ間には、アーム部２２Ｂの高さ方向における略下半分同士を連結する連結部２２Ｃが設けられ、その連結部２２Ｃより後方位置には、アーム部２２Ｂの後端上面同士を連結するようにして板状をなす解除操作部２４が設けられている。
【００１８】
連結部２２Ｃにおける前後方向略中央には、係止部２３が上方に突出して形成されている。係止部２３は、両ハウジング１０，２０の正規嵌合時には被係止部１２と係止して両ハウジング１０，２０をロック状態に保持することが可能とされている。係止部２３の前面は、後方に向けて徐々に緩やかな勾配をなす円弧状の突当面２３Ａとされ、その突当面２３Ａの後端から連結部２２Ｃに向けてややオーバーハング状に切り立った勾配をなす係止面２３Ｂが形成されている。尚、連結部２２Ｃの後端部から解除操作部２４の後端部にかけては、アーム部２２Ｂの下面側がテーパ状に切り欠かれており、両ハウジング１０，２０の嵌合途上でロックアーム２２が完全に撓んだ状態にあるときにアーム部２２Ｂと本体部２１の上面とが干渉することが回避されるようになっている。
【００１９】
ロックアーム２２を幅方向に挟む両側には、図４に示すように、一対の保護壁２５，２５が配されている。保護壁２５は、本体部２１の上面から上方に突出し、アーム部２２Ｂとほぼ同じ高さを有し、前後方向に沿って形成されている。これにより、ロックアーム２２は、幅方向両側から衝撃を受ける等して損傷することが回避可能とされている。保護壁２５の前端は、図３に示すように、ロックアーム２２の前端とほぼ同じ位置であって、本体部２１の前面とほぼ面一となるように設定されている。また、解除操作部２４の後端２４Ａは、保護壁２５の後端２５Ａよりも後方に突出する位置に設定されることで、後方から指を入れる際に保護壁２５によって邪魔されることなく、より解除操作がしやすくなるようにされている。
【００２０】
両保護壁２５，２５の幅方向外側には、一対の外壁２６，２６が配されている。外壁２６は、本体部２１の上面から上方に突出し、同上面における外側端縁部に配されて、前後方向に沿って形成されている。外壁２６の前端は、本体部２１の前面よりやや後方位置とされているものの、外壁２６の後端は、本体部２１の後面とほぼ面一をなす位置まで延出されている。
【００２１】
外壁２６において次述する覆い壁２７より前方部分は案内突部２６Ａとされている。案内突部２６Ａは、両ハウジング１０，２０の嵌合に伴って雄ハウジング１０に配される図示しない案内受け部に受け入れられて両ハウジングの嵌合案内を行うようにされている。また、案内突部２６Ａは、上述したように、本体部２１の上面における外側端縁部に配されているため、両ハウジング１０，２０の嵌合時のこじり防止を有効に行うことが可能とされている。さらに、覆い壁２７の内方において外壁２６の内側面は、内方に向けて拡幅形成されて保護壁２５の後端２５Ａと連結されることで、前方から異物が進入する等して誤操作が行われることが規制可能とされている。尚、前記した拡幅形成された部分の前面には、前方へ開口する肉抜き３１が形成されている。
【００２２】
解除操作部２４を覆う上方位置には、図１に示すように、覆い壁２７が配されている。覆い壁２７は、外壁２６の前記した拡幅形成された部分と、これに連結される保護壁２５の後端２５Ａとが一体となって上方に立ち上げられた部分を幅方向両側に一対形成し、これらの上端間を架設することにより形成されている。覆い壁２７の下面は、解除操作部２４の上面とロックアーム２２の撓み方向に沿って対面する位置に配されている。覆い壁２７の前端は、ロックアーム２２が復帰姿勢にあるときに解除操作部２４の前端とほぼ同じ位置に設定されている。また、覆い壁２７の後端は、本体部２１の後面とほぼ同じ位置とされ、解除操作部２４の後端２４Ａが覆い壁２７の後端（次述する操作空間２８の後端開口を構成する開口縁部２８Ｂ）より前方に引っ込んだ位置とされている。尚、覆い壁２７の前端面には、図示２箇所の肉抜き３０，３０が幅方向に所定間隔を空けて前方へ開口して形成されている。
【００２３】
覆い壁２７の下面（内面）と両外壁２６，２６の内側面と本体部２１の上面（本体部２１の外周面のうちロックアーム２２の配される面）とから構成される空間は、操作空間２８とされている。操作空間２８は、後方へ開口して形成され、その開口を通じて指を入れて解除操作を行うことが可能とされている。操作空間２８の内面は、両ハウジング１０，２０の正規嵌合時に雄ハウジング１０のフード部１１の上面よりやや高めの位置となるように設定されている。また、正規嵌合時に覆い壁２７の前端とフード部１１の前端とは、前後方向にほぼ同じ位置となるように設定されている。要するに、正規嵌合時には雌ハウジング２０のうち覆い壁２７よりも前方部分がフード部１１の内部に嵌合可能とされている。また、覆い壁２７の内面前端には、フード部１１の先端と覆い壁２７との間に形成される隙間を塞いで異物の侵入を規制する規制部２９が下方に突出して形成され、ロックアーム２２の誤操作をより確実に規制することができるようになっている。尚、操作空間２８の後端開口における開口縁部２８Ｂのうち幅方向両側には、後方に向けて拡開する勾配を有するテーパ状の誘い込み面２８Ａが形成されることで、操作空間２８の後端開口を広くとることができ、指を後方から操作空間２８に入れやすくなって、より解除操作がしやすくなるようにされている。
【００２４】
本実施形態は以上のような構造であって、続いてその作用を説明する。  
まず、両ハウジング１０，２０の嵌合操作について説明する。雌ハウジング２０を雄ハウジング１０に向けて押し込む際には、案内突部２６Ａが案内受け部に受け入れられることで、両ハウジング１０，２０のこじり防止が行われ、円滑な嵌合操作が行われる。こうして、雌ハウジング２０の押し込み操作を行うと、係止部２３の突当面２３Ａが、被係止部１２の傾斜面１２Ａに当接し、ロックアーム２２を下方に撓ませつつ摺接面１２Ｂに乗り上げる。そのまま、押し込み操作を続けて、両ハウジング１０，２０が正規嵌合状態に至ると、係止部２３が被係止部１２を乗り越えて、ロックアーム２２が復帰し、係止面２３Ｂと被係止面１２Ｃとが係止して両ハウジング１０，２０がロック状態に保持されることで嵌合操作が完了する。尚、両ハウジング１０，２０が正規嵌合状態にあるときには、フード部１１の先端と覆い壁２７との間の隙間を塞ぐ規制部２９が設けられているから、この隙間を通じて操作空間２８内に異物が侵入して、解除操作部２４に局部的に接触する等してロック状態が誤って解除されることが規制される。
【００２５】
次に、両ハウジング１０，２０の離脱操作について説明する。両ハウジング１０，２０の離脱は、操作空間２８に後方から指を入れて解除操作部２４を押し下げることにより行う。このとき、操作空間２８の一部を構成する覆い壁２７は、本体部２１の外側端縁部に配される両外壁２６，２６間を解除操作部２４より高い位置で架設することにより形成されているから、局部的な接触により誤操作が行われるのを規制しつつも、より大きな操作空間２８が確保される。また、操作空間２８の後端開口における開口縁部２８Ｂの内側には、誘い込み面２８Ａが形成されているから、操作空間２８の後端開口には、さらに大きな操作空間２８が確保される。こうして、操作空間２８に後方から指を入れて解除操作部２４を押し下げると、係止面２３Ｂと被係止面１２Ｃとの係止状態が解除され、そのまま雌ハウジング２０を雄ハウジング１０から引き離すことで、両ハウジング１０，２０の離脱操作が完了する。
【００２６】
以上のように本実施形態においては、局部的な接触によりロック状態の誤操作が行われるのを回避するために解除操作部２４を覆うようにして覆い壁２７を設けると、後方からの解除操作が困難になることが考えられるものの、保護壁２５の外側に配される両外壁２６，２６間を架設して覆い壁２７を設けるようにしたから、操作空間２８の間口を広くとることが可能となり、局部的な接触による誤操作を規制しつつも後方からの解除操作を容易に行うことが可能である。また、解除操作部２４の後端位置が、保護壁２５の後端よりも後方でかつ操作空間２８の後端開口の開口縁部よりも前方とされるから、指を操作空間２８に入れる際に保護壁２５によって邪魔されることなく、より解除操作がしやすくなる。さらに、外壁２６が本体部２１の上面における外側端縁部に配されるとともに外壁２６のうち覆い壁２７より前方部分が案内突部２６Ａとされるから、操作空間２８を幅方向に広くとることができるとともに両ハウジング１０，２０の嵌合時のこじり防止を有効に行うことが可能になり、さらには外壁２６を利用して案内突部２６Ａを設けることでスペースの有効利用を図ることが可能になる。その上、後方に向けて拡開する勾配を有する誘い込み面２８Ａが形成されるから、操作空間２８の間口をさらに広くとることが可能となり、より解除操作がしやすくなる。これらに加えて、フード部１１の先端と覆い壁２７との間に形成される隙間を塞いで異物の侵入を規制する規制部２９が形成されるから、この隙間から操作空間２８内に異物が侵入して局部的な接触により解除操作が行われることが規制される。
【００２７】
＜参考技術＞
次に、本願発明と関連ある参考技術について開示する。図６ないし図１０は、本参考技術に係る実施形態を示す。本実施形態におけるコネクタ２は、実施形態１のコネクタ１の構造を一部変更することにより解除操作を上方と後方の双方向から行うことができるようにしたものであり、重複する部分については構造説明を省略する。コネクタ２は、図６に示すように、互いに嵌合可能な雄ハウジング１０と雌ハウジング４０とを備えている。尚、図９にはキャビティ３２を図示しているものの、図６，図７および図１０には図面の簡単化のためにキャビティ３２および雌端子金具を省略してある。
【００２８】
雌ハウジング４０は、実施形態１における解除操作部２４と、その上面略前半部において幅方向に沿って上方に突出する突部４２とが一体に形成された解除操作部４３（４３Ａは、解除操作部４３の後端を示す。）を備えている。また、雌ハウジング４０は、図８に示すように、実施形態１における覆い壁２７の幅方向両側縁部と後縁部を残して前方に切り欠くことにより前方へ開いた略コの字状をなす覆い壁４１を備えている。これにより、後方へ開口する操作空間２８に加えて、解除操作部４３の上方には、上方へ開口する操作空間４４が形成され、両操作空間２８，４４から指を入れて解除操作を行うことが可能となる。したがって、コネクタ２の設置状況に合わせて、解除操作のしやすい方向を適宜選択して解除操作をすることが可能となる。
【００２９】
突部４２の上端は、両ハウジング１０，４０の正規嵌合時にはフード部１１の上面よりやや下方に位置するようにされている。また、操作空間４４を構成する幅方向両側面には、上方に向けて拡開する勾配を有する誘い込み面４４Ａが形成されている。このため、操作空間４４を通じて解除操作を行う際には、誘い込み面４４Ａが設けられることで操作空間４４の間口が広くなって指を操作空間４４に入れやすくなるとともに、突部４２が設けられることで指を深くまで入れなくて済み、解除操作を容易に行うことができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３１】
（１）本実施形態においては、ロックアーム２２が、本体部２１の外面に対して直交する向きに撓み変形するものを例示しているが、本発明によると、本体部２１の外面に対して平行（水平方向）に撓み変形するようにしてもよい。
【００３２】
（２）本実施形態においては、解除操作部２４の全面が覆い壁２７によって上方からほぼ完全に覆われているものを例示しているが、本発明によると、必ずしも全面が覆われている必要はなく、一部が露出していてもよい。
【００３３】
（３）本実施形態においては、外壁２６が本体部２１の外側端縁部に配されたものを例示しているが、本発明によると、それよりはやや内寄りに配されたものであってもよい。
【００３４】
（４）本実施形態においては、外壁２６のうち覆い壁２７よりも前方部分を案内突部２６Ａとして利用しているが、本発明によると、案内突部２６Ａは、外壁２６と別体で設けるようにしてもよい。
【００３５】
（５）本実施形態においては、誘い込み面２８Ａが、操作空間２８の後端開口を構成する開口縁部２８Ｂのうち幅方向両側に設けたものを例示しているが、本発明によると、誘い込み面２８Ａは、開口縁部２８Ｂの上縁部に設けてもよく、設ける場所は限定されない。
【００３６】
（６）本実施形態においては、規制部２９を覆い壁２７の前端内側から下方に突出して設けたものを例示しているが、本発明によると、規制部２９をフード部１１の開口縁部１１Ａから突出して設けるようにしてもよい。
【００３７】
（７）本実施形態においては、ロックアーム２２は、アーム部２２Ｂが基端部２２Ａから後方に突出して形成されているものを例示しているが、本発明によると、ロックアーム２２は片持ち状であれば他の形態であってもよく、例えば、基端部２２Ａがアーム部２２Ｂの長さ方向中央付近に配されて、解除操作に伴ってシーソー状に撓み可能としてもよい。
【図面の簡単な説明】
【００３８】
【図１】実施形態１における両ハウジングの正規嵌合状態を示す断面図
【図２】その雌ハウジングの側断面図
【図３】その雌ハウジングの平面図
【図４】その雌ハウジングの正面図
【図５】その雌ハウジングの背面図
【図６】参考技術における両ハウジングの正規嵌合状態を示す断面図
【図７】その雌ハウジングの側断面図
【図８】その雌ハウジングの平面図
【図９】その雌ハウジングの正面図
【図１０】その雌ハウジングの背面図
【符号の説明】
【００３９】
１０…雄ハウジング（他方のハウジング）
１１…フード部
１２…被係止部
２０…雌ハウジング（一方のハウジング）
２２…ロックアーム
２３…係止部
２４…解除操作部
２４Ａ…解除操作部の後端
２５…保護壁
２５Ａ…保護壁の後端
２６…外壁
２６Ａ…案内突部
２７…覆い壁
２８…操作空間
２８Ａ…誘い込み面
２８Ｂ…操作空間の後端開口を構成する開口縁部
２９…規制部
【図１】
0004665816.tif 000002
【図２】
0004665816.tif 000003
【図３】
0004665816.tif 000004
【図４】
0004665816.tif 000005
【図５】
0004665816.tif 000006
【図６】
0004665816.tif 000007
【図７】
0004665816.tif 000008
【図８】
0004665816.tif 000009
【図９】
0004665816.tif 000010
【図１０】
0004665816.tif 000011